(57)【要約】【課題】より小型のプレゼンタ及びプリントシステムが望まれている。【解決手段】本願のプレゼンタ３００は、第一の用紙排出部３０４を有する第一経路３０８と、第二の用紙排出部３０６を有する第二経路３１０と、第一経路と第二経路との双方に共通する用紙投入部３０２と、第一経路と第二経路とに沿って用紙を搬送する搬送機構３２０とを備え、搬送機構は、用紙投入部と第一の用紙排出部と第二の用紙排出部との間に敷設されて第一経路と第二経路とを形成する搬送ベルト３２４と、搬送ベルトを、第一方向と第二方向とに切替えて駆動する駆動装置３２１とを備え、搬送ベルトは、第一方向へ駆動されるときに、用紙投入部に投入された用紙を用紙投入部から第一経路に引き込んで第一の用紙排出部へ搬送し、第二方向へ駆動されるときに、用紙投入部に投入された用紙を用紙投入部から第二経路に引き込んで第二の用紙排出部へ搬送する。【選択図】図１
2014012565.tif 000002
【特許請求の範囲】
【請求項１】
第一の用紙排出部を有する第一経路と、
前記第一の用紙排出部とは異なる第二の用紙排出部を有する第二経路と、
前記第一経路と前記第二経路との双方に共通する用紙投入部と、
前記第一経路と前記第二経路とのそれぞれに沿って用紙を搬送する搬送機構とを備え、
前記搬送機構は、
前記用紙投入部と前記第一の用紙排出部と前記第二の用紙排出部との間に敷設されて前記第一経路と前記第二経路とを形成する搬送ベルトと、
前記搬送ベルトを、前記第二の用紙排出部から前記用紙投入部を経由して前記第一の用紙排出部に向かう第一方向と、前記第一の用紙排出部から前記用紙投入部を経由して前記第二の用紙排出部に向かう第二方向とに切替えて駆動する駆動装置とを備え、
前記搬送ベルトは、前記第一方向へ駆動されるときに、前記用紙投入部に投入された用紙を前記用紙投入部から前記第一経路に引き込んで前記第一の用紙排出部へ搬送し、前記第二方向へ駆動されるときに、前記用紙投入部に投入された用紙を前記用紙投入部から前記第二経路に引き込んで前記第二の用紙排出部へ搬送する、
プレゼンタ。
【請求項２】
前記搬送ベルトは無端ベルトであり、前記駆動装置は、前記無端ベルトを担持する複数のローラと、前記複数のローラのうち少なくとも一つのローラを駆動する原動機とを備え、前記原動機は、前記無端ベルトの内側に配置される、請求項１に記載のプレゼンタ。
【請求項３】
前記複数のローラは、前記用紙投入部に配置されるローラを含む、請求項２に記載のプレゼンタ。
【請求項４】
前記複数のローラは、前記第一の用紙排出部に配置されるローラと、前記第二の用紙排出部に配置されるローラとを含む、請求項２又は３に記載のプレゼンタ。
【請求項５】
前記第一の用紙排出部に配置されるローラに対して前記搬送ベルトを介して対向配置されるテンションローラと、前記第二の用紙排出部に配置されるローラに対して前記搬送ベルトを介して対向配置されるテンションローラとを、さらに備える、請求項４に記載のプレゼンタ。
【請求項６】
互いに対向配置される前記ローラと前記テンションローラとがギアを介して互いに連動する、請求項５に記載のプレゼンタ。
【請求項７】
前記搬送機構を収容するプレゼンタケースと、
前記複数のローラのうち少なくとも一つのローラの軸を保持して、前記搬送機構を前記プレゼンタケースに収容した状態を維持する保持機構とを、さらに備え、
前記保持機構の前記ローラの軸に対する保持が解除されることで、前記搬送機構が前記プレゼンタケースから取り出し可能になる、請求項２から６の何れか一項に記載のプレゼンタ。
【請求項８】
前記搬送機構は、前記保持機構が保持する前記ローラの軸とは別のローラの軸を中心に、前記プレゼンタケースに対して回動可能に取り付けられる、請求項７に記載のプレゼンタ。
【請求項９】
前記保持機構は、前記保持機構が保持する前記ローラの軸を引掛けて保持する引掛部を有し、前記引掛部は前記プレゼンタケースに回動可能に取り付けられ、前記引掛部を回動させることにより、前記保持機構の前記ローラの軸に対する保持が解除される、請求項７又は８に記載のプレゼンタ。
【請求項１０】
前記保持機構は、前記保持機構が保持する前記ローラの軸を引掛けて保持する引掛部を有し、前記引掛部は前記プレゼンタケースに弾性部材を介して取り付けられ、前記引掛部を押圧して前記弾性部材を弾性変形させることにより、前記保持機構の前記ローラの軸に対する保持が解除される、請求項７又は８に記載のプレゼンタ。
【請求項１１】
前記搬送機構を収容するプレゼンタケースと、
前記第一経路を覆う位置に、前記プレゼンタケースに開閉可能に取り付けられたカバーと、をさらに備え、
前記搬送機構は、前記複数のローラのうち前記第二の用紙排出部に配置されるローラの軸を中心に前記プレゼンタケースに対して回動可能に取り付けられ、前記カバーを開けることにより、前記搬送機構を回動させて前記プレゼンタケースから取り出し可能になる、請求項２から６の何れか一項に記載のプレゼンタ。
【請求項１２】
前記用紙投入部に投入された用紙を前記第一経路又は前記第二経路に案内する投入ガイドと、前記投入ガイドの先端を前記第一経路又は前記第二経路に向けるガイド切替え機構とを、さらに備え、
前記ガイド切替え機構は、前記駆動装置と連動して、前記駆動装置が前記搬送ベルトを前記第一方向へ駆動する場合に、前記投入ガイドの前記先端を前記第一経路に向け、前記駆動装置が前記搬送ベルトを前記第二方向に駆動する場合に、前記投入ガイドの前記先端を前記第二経路に向ける、請求項１から１１の何れか一項に記載のプレゼンタ。
【請求項１３】
前記用紙投入部に設けられ、前記搬送機構から用紙を引き戻す戻し機構をさらに備える、請求項１から１２の何れか一項に記載のプレゼンタ。
【請求項１４】
前記第一経路における用紙の有無を検出する第一検出部と、
前記第二経路における用紙の有無を検出する第二検出部と、
前記第一検出部及び前記第二検出部からの用紙検出信号に基づき前記駆動装置を制御する制御部と、をさらに備える、請求項１から１３の何れか一項に記載のプレゼンタ。
【請求項１５】
前記搬送ベルトは、前記第二方向へ駆動されるときに、前記第一の用紙排出部に搬送されている用紙を、前記第一経路に引き戻すと共に前記第二経路に引き込んで前記第二の用紙排出部へ搬送する、請求項１から１４の何れ一項に記載のプレゼンタ。
【請求項１６】
用紙を印刷するプリンタユニットであって、印刷した用紙を排出する排出口を有するプリンタユニットと、
請求項１から１５の何れか一項に記載のプレゼンタとを備え、
前記プリンタユニットの前記排出口と前記プレゼンタの前記用紙投入部とが連通し、前記プリンタユニットから排出された用紙が、引き続き前記プレゼンタの前記用紙投入部に投入される、プリンタシステム。
【発明の詳細な説明】
【技術分野】
【０００１】
本発明は、用紙を搬送するプレゼンタ及びそのプレゼンタを用いたプリンタシステムに関する。
【背景技術】
【０００２】
近年、夜間でも預金の引出しや振込ができるよう、無人のＡＴＭ装置が銀行や商店等に設置されるようになった。このようなＡＴＭ装置には、レシートを利用客に渡すために、プリンタ装置（プリンタシステム）が組み込まれていることが多い。しかしながら、利用客がレシートを取り忘れる場合があり、このようなプリンタ装置には、取り忘れられたレシートが他の客に渡り情報が漏洩することがないよう、レシートを排出又は回収するプレゼンタが設けられている。特許文献１には、このようなプレゼンタ（プレゼンタユニット）を備えるプリンタ装置が開示されている。
【先行技術文献】
【特許文献】
【０００３】
【特許文献１】特開２００３−１９８４５号公報
【発明の概要】
【発明が解決しようとする課題】
【０００４】
設置場所が狭い等の理由により、ＡＴＭ装置はその設置面積をより小さくすることが求められている。そのため、レシート等を発行するプリンタ装置（プリンタシステム）及びそれに設けられるプレゼンタはより小型であるのが望ましい。
【０００５】
特許文献１のプリンタ装置では、用紙ロール収容部とプリンタユニットとが横に並んで配置され、レシート等のカット紙を搬送するカット紙プレゼンタユニットが、用紙ロール収容部及びプリンタユニットの下側に配置されている。特許文献１のカット紙プレゼンタユニットでは、カット紙全体が排出される前に一旦カット紙はカット紙プレゼンタユニット内に取り込まれ、カット紙全体が搬送ベルトに保持されるよう構成されている。そのため、特許文献１のカット紙プレゼンタユニットは、奥行き方向にある程度の長さが必要であった。また、従来、このようなカット紙プレゼンタユニットを駆動させる駆動モータは、搬送ベルトの外側に配置され、別途、駆動モータを設置する空間を確保する必要があった。
【課題を解決するための手段】
【０００６】
請求項１に記載の発明は、第一の用紙排出部を有する第一経路と、前記第一の用紙排出部とは異なる第二の用紙排出部を有する第二経路と、前記第一経路と前記第二経路との双方に共通する用紙投入部と、前記第一経路と前記第二経路とのそれぞれに沿って用紙を搬送する搬送機構とを備え、前記搬送機構は、前記用紙投入部と前記第一の用紙排出部と前記第二の用紙排出部との間に敷設されて前記第一経路と前記第二経路とを形成する搬送ベルトと、前記搬送ベルトを、前記第二の用紙排出部から前記用紙投入部を経由して前記第一の用紙排出部に向かう第一方向と、前記第一の用紙排出部から前記用紙投入部を経由して前記第二の用紙排出部に向かう第二方向とに切替えて駆動する駆動装置とを備え、前記搬送ベルトは、前記第一方向へ駆動されるときに、前記用紙投入部に投入された用紙を前記用紙投入部から前記第一経路に引き込んで前記第一の用紙排出部へ搬送し、前記第二方向へ駆動されるときに、前記用紙投入部に投入された用紙を前記用紙投入部から前記第二経路に引き込んで前記第二の用紙排出部へ搬送する、プレゼンタを提供する。
【０００７】
請求項２に記載の発明は、請求項１に記載のプレゼンタにおいて、前記搬送ベルトは無端ベルトであり、前記駆動装置は、前記無端ベルトを担持する複数のローラと、前記複数のローラのうち少なくとも一つのローラを駆動する原動機とを備え、前記原動機は、前記無端ベルトの内側に配置される、プレゼンタを提供する。
【０００８】
請求項３に記載の発明は、請求項２に記載のプレゼンタにおいて、前記複数のローラは、前記用紙投入部に配置されるローラを含む、プレゼンタを提供する。
【０００９】
請求項４に記載の発明は、請求項２又は３に記載のプレゼンタにおいて、前記複数のローラは、前記第一の用紙排出部に配置されるローラと、前記第二の用紙排出部に配置されるローラとを含む、プレゼンタを提供する。
【００１０】
請求項５に記載の発明は、請求項４に記載のプレゼンタにおいて、前記第一の用紙排出部に配置されるローラに対して前記搬送ベルトを介して対向配置されるテンションローラと、前記第二の用紙排出部に配置されるローラに対して前記搬送ベルトを介して対向配置されるテンションローラとを、さらに備える、プレゼンタを提供する。
【００１１】
請求項６に記載の発明は、請求項５に記載のプレゼンタにおいて、互いに対向配置される前記ローラと前記テンションローラとがギアを介して互いに連動する、プレゼンタを提供する。
【００１２】
請求項７に記載の発明は、請求項２から６に記載の何れか一項に記載のプレゼンタにおいて、前記搬送機構を収容するプレゼンタケースと、前記複数のローラのうち少なくとも一つのローラの軸を保持して、前記搬送機構を前記プレゼンタケースに収容した状態を維持する保持機構とを、さらに備え、前記保持機構の前記ローラの軸に対する保持が解除されることで、前記搬送機構が前記プレゼンタケースから取り出し可能になる、プレゼンタを提供する。
【００１３】
請求項８に記載の発明は、請求項７に記載のプレゼンタにおいて、前記搬送機構は、前記保持機構が保持する前記ローラの軸とは別のローラの軸を中心に、前記プレゼンタケースに対して回動可能に取り付けられる、プレゼンタを提供する。
【００１４】
請求項９に記載の発明は、請求項７又は８に記載のプレゼンタにおいて、前記保持機構は、前記保持機構が保持する前記ローラの軸を引掛けて保持する引掛部を有し、前記引掛部は前記プレゼンタケースに回動可能に取り付けられ、前記引掛部を回動させることにより、前記保持機構の前記ローラの軸に対する保持が解除される、プレゼンタを提供する。
【００１５】
請求項１０に記載の発明は、請求項７又は８に記載のプレゼンタにおいて、前記保持機構は、前記保持機構が保持する前記ローラの軸を引掛けて保持する引掛部を有し、前記引掛部は前記プレゼンタケースに弾性部材を介して取り付けられ、前記引掛部を押圧して前記弾性部材を弾性変形させることにより、前記保持機構の前記ローラの軸に対する保持が解除される、プレゼンタを提供する。
【００１６】
請求項１１に記載の発明は、請求項２から６の何れか一項に記載のプレゼンタにおいて、前記搬送機構を収容するプレゼンタケースと、前記第一経路を覆う位置に、前記プレゼンタケースに開閉可能に取り付けられたカバーと、をさらに備え、前記搬送機構は、前記複数のローラのうち前記第二の用紙排出部に配置されるローラの軸を中心に前記プレゼンタケースに対して回動可能に取り付けられ、前記カバーを開けることにより、前記搬送機構を回動させて前記プレゼンタケースから取り出し可能になる、プレゼンタを提供する。
【００１７】
請求項１２に記載の発明は、請求項１から１１の何れか一項に記載のプレゼンタにおいて、前記用紙投入部に投入された用紙を前記第一経路又は前記第二経路に案内する投入ガイドと、前記投入ガイドの先端を前記第一経路又は前記第二経路に向けるガイド切替え機構とを、さらに備え、前記ガイド切替え機構は、前記駆動装置と連動して、前記駆動装置が前記搬送ベルトを前記第一方向へ駆動する場合に、前記投入ガイドの前記先端を前記第一経路に向け、前記駆動装置が前記搬送ベルトを前記第二方向に駆動する場合に、前記投入ガイドの前記先端を前記第二経路に向ける、プレゼンタを提供する。
【００１８】
請求項１３に記載の発明は、請求項１から１２の何れか一項に記載のプレゼンタにおいて、前記用紙投入部に設けられ、前記搬送機構から用紙を引き戻す戻し機構をさらに備える、プレゼンタを提供する。
【００１９】
請求項１４に記載の発明は、請求項１から１３の何れか一項に記載のプレゼンタにおいて、前記第一経路における用紙の有無を検出する第一検出部と、前記第二経路における用紙の有無を検出する第二検出部と、前記第一検出部及び前記第二検出部からの用紙検出信号に基づき前記駆動装置を制御する制御部と、をさらに備える、プレゼンタを提供する。
【００２０】
請求項１５に記載の発明は、請求項１から１４の何れか一項に記載のプレゼンタにおいて、前記搬送ベルトは、前記第二方向へ駆動されるときに、前記第一の用紙排出部に搬送されている用紙を、前記第一経路に引き戻すと共に前記第二経路に引き込んで前記第二の用紙排出部へ搬送する、プレゼンタを提供する。
【００２１】
請求項１６に記載の発明は、用紙を印刷するプリンタユニットであって、印刷した用紙を排出する排出口を有するプリンタユニットと、請求項１から１５の何れか一項に記載のプレゼンタとを備え、前記プリンタユニットの前記排出口と前記プレゼンタの前記用紙投入部とが連通し、前記プリンタユニットから排出された用紙が、引き続き前記プレゼンタの前記用紙投入部に投入される、プリンタシステムを提供する。
【発明の効果】
【００２２】
本発明によるプレゼンタでは、搬送ベルトが第一方向へ駆動されるときに、用紙投入部に投入された用紙を引き込んで第一の用紙排出部へ搬送し、第二方向へ駆動されるときに、用紙投入部に投入された用紙を用紙投入部から第二経路に引き込んで第二の用紙排出部へ搬送する。換言すれば、用紙投入部から第一の用紙排出部又は第二の用紙排出部に直接用紙を搬送しているので、特許文献１のプレゼンタユニットのように一旦用紙全体を取り込んで保持することがなく、用紙の搬送路を短くしてプレゼンタをより小型化することができ、延いてはプリンタシステムを小型化することが可能になる。
【００２３】
また、本発明によるプレゼンタのように、搬送ベルトを無端ベルトとし、駆動装置が、無端ベルトを担持する複数のローラと、複数のローラのうち少なくとも一つのローラを駆動する原動機とを備え、原動機を無端ベルトの内側に配置すれば、原動機を駆動装置の外部に設置する空間を必要としないので、より小型のプレゼンタを実現できる。
【図面の簡単な説明】
【００２４】
【図１】本発明の一実施形態によるプレゼンタ及びそのプレゼンタを組み込んだプリンタシステムの構成図である。
【図２】プレゼンタの搬送機構の構成を示す斜視図である。
【図３】プレゼンタの搬送機構の別例を示す部分図である。
【図４】プレゼンタの搬送機構の別例を示す部分図であり、図４（ａ）は駆動モータ（原動機）により全てのローラが駆動されるよう構成された例を示す図、図４（ｂ）はさらにテンションローラにギアが追加された例を示す図である。
【図５】プレゼンタの別例を示す構成図であり、図５（ａ）は、挿入部（用紙投入部）が排出部（第一の用紙排出部）と回収部（第二の用紙排出部）との間を繋ぐ搬送ベルト上に設置された例を示す図、図５（ｂ）は、挿入部に二つのローラが配置された例を示す図である。
【図６】用紙引戻し機構（戻し機構）を有するプレゼンタが組み込まれたプリンタシステムを示す構成図である。
【図７】搬送機構をプレゼンタケースに保持する保持機構の構成及び搬送機構の取り出し方法を示すプレゼンタの側面図であり、図７（ａ）は、搬送機構がプレゼンタケースに収納された状態を示す図、図７（ｂ）は、保持機構の搬送機構に対する保持が解除された状態を示す図、図７（ｃ）は、搬送機構を回動させプレゼンタケースから搬送機構を取り出した状態を示す図である。
【図８】保持機構の構成及び搬送機構の取り出し方法の別例を示すプレゼンタの側面図であり、図８（ａ）は、搬送機構がプレゼンタケースに収納された状態を示す図、図８（ｂ）は、搬送機構に対する保持が解除された状態を示す図、図８（ｃ）は、搬送機構を回動させプレゼンタケースから搬送機構を取り出した状態を示す図である。
【図９】保持機構の構成及び搬送機構の取り出し方法の別例を示すプレゼンタの側面図であり、図９（ａ）は、搬送機構がプレゼンタケースに収納された状態を示す図、図９（ｂ）は、搬送機構に対する保持が解除され、プレゼンタケースから搬送機構を取り出した状態を示す図である。
【図１０】保持機構の構成及び搬送機構の取り出し方法の別例を示すプレゼンタの側面図であり、図１０（ａ）は、搬送機構がプレゼンタケースに収納された状態を示す図、図１０（ｂ）は、カバーが開いた状態を示す図、図１０（ｃ）は、搬送機構を回動させプレゼンタケースから搬送機構を取り出した状態を示す図である。
【図１１】保持機構の構成及び搬送機構の取り出し方法の別例を示す図であり、図１１（ａ）は、搬送機構がプレゼンタケースに収納された状態を示す図、図１１（ｂ）は、カバーが開いた状態を示す図、図１１（ｃ）は、搬送機構を回動させプレゼンタケースから搬送機構を取り出した状態を示す図である。
【図１２】用紙挿入ガイド（投入ガイド）及び挿入経路切替え機構（ガイド切替え機構）の構成を示す図であり、図１２（ａ）は、挿入経路切替え機構で使用するギアを示す図であり、図１２（ｂ）は駆動ローラが時計回りに回転した場合を示す図であり、図１２（ｃ）は、駆動ローラが反時計回りに回転した場合を示す図である。
【図１３】プリンタシステムの排出・回収動作を示すフローチャートである。
【図１４】プリンタシステムの電源投入時のフローチャートである。
【発明を実施するための形態】
【００２５】
以下、添付図面を参照して本発明の実施形態について説明する。以下の実施形態において同一又は類似の構成要素には共通の参照符号を付して示し、理解を容易にするために、これら図面は縮尺を適宜変更している。また、本願発明の技術範囲はそれらの実施形態に限定されず、特許請求の範囲に記載した発明とその均等物におよぶ点に留意されたい。
【００２６】
図１は、本発明の一実施形態によるプレゼンタ３００及びそのプレゼンタ３００を組み込んだプリンタシステム１００の構成を示す図である。本実施形態のプリンタシステム１００は、例えばＡＴＭ（Ａｕｔｏｍａｔｅｄ  Ｔｅｌｌｅｒ  Ｍａｃｈｉｎｅ:現金自動預払機）等に組み込まれるプリンタシステムであり、レシート等（以下、単に用紙と呼ぶ）を印字又は印刷するプリンタユニット２００と、プリンタユニット２００により印字され排出された用紙を受入れて、排出口３０５又は回収口３０７まで搬送するプレゼンタ３００とから構成されている。プリンタユニット２００及びプレゼンタ３００は、例えばＡＴＭが備える制御部１１０により制御され、プリンタシステム１００のプリンタユニット２００及びプレゼンタ３００は制御部１１０から指示を受けて、用紙の印字・印刷や排出・回収動作等を行っている。プレゼンタ３００やプリンタユニット２００のそれぞれが制御部１１０を備え、互いに通信して動作してもよい。
【００２７】
プリンタユニット２００は、例えばサーマルプリンタであり、感熱紙である用紙を連続的に供給するロール紙２０２、ロール紙２０２から送り出された用紙２０３を用紙送りする用紙搬送モータ２０４と、用紙に情報を印字・印刷する印刷部２０６と、印刷された用紙を切断する切断部２１０と、から構成されている。印刷部２０６は、用紙２０３の感熱面に対向するサーマルヘッド２０７と、感熱面とは反対側の面に当接するプラテンローラ２０８とを有する。印刷部２０６は、制御部１１０の指示により印字・印刷を行う。切断部２１０は、可動刃２１２と、可動刃２１２を動かすカッタ駆動モータ２１４と、固定刃２１６とを備え、制御部１１０の指示により用紙２０３を切断するよう構成されている。なお、図示実施形態のプリンタユニットはサーマルプリンタ（感熱式）であるが、プリンタの出力方式はこれに限定されず、例えばインクジェットプリンタ方式、レーザ方式、昇華型熱転写方式等別の方式でもよい。
【００２８】
ロール紙２０２から送り出された用紙２０３は、印刷部２０６により印字される。印字された用紙２０３はさらに用紙送りされ、プリンタユニット２００の用紙排出口２０９から排出される。図示するようにプリンタユニット２００の用紙排出口２０９と、後述するプレゼンタ３００の挿入部３０２（用紙投入部の一例）とは連通していて、プリンタユニット２００から排出された用紙２０３は、プレゼンタ３００の挿入部３０２に挿入され、プレゼンタ３００に取り込まれる。制御部１１０により用紙切断の指示がなされた場合、プリンタユニット２００は用紙２０３の用紙送りを一旦止め、切断部２１０が用紙２０３を切断する。切断された用紙２０３はプレゼンタ３００に用紙送りされ、搬送機構３２０によりさらに搬送される。通常、用紙２０３を利用客に渡すために用紙２０３は排出経路３０８（第一経路の一例）を経由して排出部３０４（第一の用紙排出部の一例）まで搬送され排出口３０５から排出される。何らかの理由により用紙２０３を回収する場合、用紙２０３は回収経路３１０（第二経路の一例）を経由して回収部３０６（第二の用紙排出部の一例）に搬送されて回収口３０７からプレゼンタ３００の下方に設けられた用紙回収スペース２２０に回収される。
【００２９】
プレゼンタ３００は、プリンタユニット２００が排出した用紙２０３を排出口３０５又は回収口３０７まで搬送する装置である。プレゼンタ３００は、プリンタユニット２００から排出された用紙２０３を受け入れてプレゼンタ３００の内部に用紙２０３を挿入する挿入口３０３が形成された挿入部３０２と、挿入口３０３と連通して用紙２０３が排出される排出口３０５が形成された排出部３０４と、挿入口３０３と連通して用紙２０３が用紙回収スペース２２０に排出される回収口３０７が形成された回収部３０６と、を備える。図示実施形態のプレゼンタ３００は、排出口３０５を図中右方向に向け、回収口３０７を図中下方に向けているが、排出口３０５と回収口３０７の位置はこの構成に限らず、例えば、排出口３０５と回収口３０７との位置は逆でもよい。また、用紙２０３を図中上方向に向けて排出するように構成してもよい。
【００３０】
プレゼンタ３００は、挿入部３０２の挿入口３０３から排出部３０４の排出口３０５まで延びる排出経路３０８（第一経路の一例）と、挿入部３０２の挿入口３０３から回収部３０６の回収口３０７まで延びる回収経路３１０（第二経路の一例）とを備えている。すなわち、挿入部３０２は、排出経路３０８と回収経路３１０との双方に共通している。そして、プレゼンタ３００は、例えば用紙２０３を排出経路３０８に沿って挿入口３０３から排出口３０５まで、又は、回収経路３１０に沿って挿入口３０３から回収口３０７まで搬送する搬送機構３２０とを備える。また、プレゼンタ３００は、プレゼンタ３００の外郭を形成し、搬送機構３２０を収容するプレゼンタケース３０１を備える。
【００３１】
搬送機構３２０は、挿入部３０２と排出部３０４と回収部３０６との間に敷設されて、排出経路３０８と回収経路３１０と形成する搬送ベルト３２４を備える。また、搬送機構３２０は、搬送ベルト３２４を回収部３０６から挿入部３０２を経由して排出部３０４に向かう第一方向（図の矢印Ｃ１方向）と、排出部３０４から挿入部３０２を経由して回収部３０６に向かう第二方向（図の矢印Ｃ２方向）とに切替えて駆動する駆動装置３２１を備える。搬送ベルト３２４は、第一方向へ駆動されるときに、挿入部３０２に挿入（投入）された用紙２０３を挿入部３０２から排出経路３０８に引き込んで、排出部３０４へ搬送する。また、搬送ベルト３２４は、第二方向へ駆動されるときに、挿入部３０２に挿入された用紙２０３を挿入部３０２から回収経路３１０に引き込んで、回収部３０６へ搬送する。また、搬送ベルト３２４は、第二方向へ駆動されるときに、排出部３０４に搬送されている用紙２０３を、排出経路３０８に引き戻すと共に、回収経路３１０に引き込んで回収部３０６に搬送する。
【００３２】
駆動装置３２１は、搬送ベルト３２４を担持する複数のローラと、その複数のローラのうち少なくとも１つのローラを駆動する駆動モータ３２２（原動機の一例）とを備えている。図示実施形態の搬送機構３２０の駆動装置３２１は、排出口３０５に近接して排出部３０４に配置された第一ローラ３３０と、回収口３０７に近接して回収部３０６に配置された第二ローラ３４０とを備えている。さらに、挿入口３０３に近接して挿入部３０２に配置された第三ローラ３５０を備えている。そして、搬送ベルト３２４は、第一ローラ３３０、第二ローラ３４０、及び第三ローラ３５０により担持され、搬送ベルト３２４は、排出経路３０８と回収経路３１０とを連続して通過するよう配置されている。駆動モータ３２２は第一ローラ３３０、第二ローラ３４０、及び第三ローラ３５０のうち少なくとも１つのローラを駆動する。そして、駆動モータ３２２は、搬送ベルト３２４の内側に、換言すれば搬送ベルト３２４により囲まれた範囲内に配置される。なお、図示実施形態の搬送ベルト３２４は、無端ベルトであるが、搬送ベルト３２４は無端ベルトに限定されず、例えば、第一ローラ３３０又は第二ローラ３４０がベルトを巻き取って用紙を搬送する方式であってもよい。
【００３３】
本実施形態では、挿入部３０２に配置された第三ローラ３５０が、駆動モータ３２２により直接駆動される駆動ローラであり（図２参照）、駆動モータ３２２により第三ローラ３５０が回転することで、搬送ベルト３２４により第一ローラ３３０と第二ローラ３４０とが回転するようになっている。なお、駆動ローラになるのは、第三ローラ３５０に限らず、第一ローラ３３０又は第二ローラ３４０であってもよく、駆動モータ３２２が全てのローラを直接駆動するよう構成されてもよい（図４参照）。
【００３４】
本実施形態のプレゼンタ３００は、排出部３０４において、第一テンションローラ３６０が、搬送ベルト３２４を介して第一ローラ３３０に対向配置されている。そのため、第一ローラ３３０と協働して排出部３０４に搬送された用紙２０３を保持することができる。また、回収部３０６において、第二テンションローラ３７０が、搬送ベルト３２４を介して第二ローラ３４０に対向配置され、回収部３０６に搬送された用紙２０３を第二ローラ３４０と協働して保持することができる。
【００３５】
プレゼンタ３００には、排出経路３０８や回収経路３１０等の用紙を検出する複数の検出センサ（第一検出センサ３２５、第二検出センサ３２６、第三検出センサ３２７、以下まとめて検出センサ又は検出部と称する場合がある）が設けられている。第一検出センサ３２５（第一検出部の一例）が、プレゼンタ３００の排出経路３０８に配置され、排出経路３０８に用紙２０３があるか否かを検出し、用紙検出信号を送信する。第二検出センサ３２６（第二検出部の一例）は回収経路３１０に配置され、回収経路３１０に用紙２０３があるか否かを検出し、用紙検出信号を送信する。第三検出センサ３２７が、挿入部３０２の挿入口３０３の付近に配置され、用紙２０３が挿入口３０３に挿入されたか否かを検出し、用紙検出信号を送信する。
【００３６】
制御部１１０は、プレゼンタ３００の駆動モータ３２２、第一検出センサ３２５、第二検出センサ３２６及び第三検出センサ３２７に接続されている。そして、制御部１１０は、例えば駆動モータ３２２の回転数を取得して搬送機構３２０が搬送ベルト３２４を駆動した量（用紙送り量）を計測することができる。そのため、制御部１１０は、検出センサから受信した用紙検出信号と計測した用紙送り量とを基に、駆動モータ３２２を適切な方向及び速度で駆動して用紙２０３を搬送するように構成されている。
【００３７】
また、プレゼンタ３００は、プリンタユニット２００から排出された用紙２０３を挿入部３０２に案内する用紙ガイド３８０を備えている。プレゼンタ３００の下方には、用紙回収スペース２２０を形成する用紙回収容器２２２が配置され、回収部３０６に搬送され回収口３０７から排出された用紙２０３を集めて保管できる。
【００３８】
本実施形態のプレゼンタ３００の搬送機構３２０について図を用いて説明する。図２は、搬送機構３２０を挿入部３０２の方から見た斜視図である。上述したように、搬送機構３２０は、駆動モータ３２２と、第一ローラ３３０と、第二ローラ３４０と、第三ローラ３５０とを備え、それらローラは搬送ベルト３２４を担持している。また、駆動モータ３２２は、第一ローラ３３０、第二ローラ３４０及び第三ローラ３５０に囲まれるように、すなわち、搬送ベルト３２４の内側に配置される。
【００３９】
駆動モータ３２２には、駆動モータギア３２３が設けられ、減速ギア３５４を介して駆動ローラ（図示実施形態では第三ローラ３５０）を駆動する。
【００４０】
各ローラは、ローラ軸と、ローラ軸の両端に設けられた二つのホイールと、その二つのうちの一方のホイールの外側に配置されたローラギアと備えている。すなわち、第一ローラ３３０は、図に示すように、第一ローラ軸３３１と、第一ローラ軸３３１のそれぞれの端部に設けられた第一ローラホイール３３２ａ、３３２ｂと、第一ローラホイール３３２ａの外側において第一ローラ軸３３１の先端部分に設けられた第一ローラギア３３３を備えている。第二ローラ３４０も、第一ローラ３３０と同様に、第二ローラ軸３４１と、第二ローラ軸３４１のそれぞれの端部に設けられた第二ローラホイール３４２ａ、３４２ｂと、第二ローラホイール３４２ａの外側において第二ローラ軸３４１の先端部分に設けられた第二ローラギア３４３とを備えている。第三ローラ３５０は、第三ローラ軸３５１と、第三ローラホイール３５２ａ、３５２ｂと、第三ローラホイール３５２ａの外側において第三ローラ軸３５１の先端部分に設けられた第三ローラギア３５３とを備えている。
【００４１】
搬送ベルト３２４が、第一ローラ３３０、第二ローラ３４０及び第三ローラ３５０により担持されている。図示実施形態の搬送機構３２０では、二本の搬送ベルト３２４ａ、３２４ｂ（以下では、二本の搬送ベルト３２４ａ、３２４ｂをまとめて搬送ベルト３２４と称する場合がある）が、各ローラの両端部に位置するホイールに、すなわち搬送ベルト３２４ａは第一ローラホイール３３２ａ〜第三ローラホイール３５２ａに、搬送ベルト３２４ｂは、第一ローラホイール３３２ｂ〜第三ローラホイール３５２ｂにより担持されている。挿入部３０２に挿入された用紙２０３は、搬送ベルト３２４ａ及び搬送ベルト３２４ｂに渡って載置され、搬送ベルト３２４ａ、３２４ｂが駆動装置３２１により駆動されることにより用紙２０３が搬送される。
【００４２】
上述したように、第一テンションローラ３６０が搬送ベルト３２４を介して第一ローラ３３０に対向配置されている。また、第二テンションローラ３７０が、搬送ベルト３２４を介して第二ローラ３４０に対向配置されている。
【００４３】
第一テンションローラ３６０は、第一テンションローラ軸３６１と、第一テンションローラ軸３６１のそれぞれの端部に設けられた第一テンションローラホイール３６２ａ、３６２ｂと、第一テンションローラホイール３６２ａの外側であって第一テンションローラ軸３６１の先端部分に設けられた第一テンションローラギア３６３とを備えている。第二テンションローラ３７０は、第二テンションローラ軸３７１と、第二テンションローラ軸３７１のそれぞれの端部に設けられた第二テンションローラホイール３７２ａ、３７２ｂ、と、第二テンションローラホイール３７２ａの外側であって第二テンションローラ軸３７１の先端部分に設けられた第二テンションローラギア３７３とを備えている。
【００４４】
図示実施形態の搬送機構３２０の第三ローラ３５０は、駆動モータ３２２が直接駆動する駆動ローラである。第三ローラ３５０の第三ローラギア３５３と、駆動モータ３２２の駆動モータギア３２３とが、減速ギア３５４を介して連動し、第三ローラ３５０が、駆動モータ３２２により回転する。駆動モータ３２２が矢印Ａ方向に駆動することで、第三ローラ３５０が回転し、搬送ベルト３２４が矢印Ｃ１方向に移動して、搬送ベルト３２４上の用紙２０３を排出部３０４に搬送する。一方、駆動モータ３２２が反転、すなわち矢印Ｂ方向に駆動することで、第三ローラ３５０が回転し、搬送ベルト３２４が、回収部３０６に向かって矢印Ｃ２方向に移動して、用紙２０３を回収部３０６に搬送する。
【００４５】
また、図示実施形態の、搬送機構３２０では、第一ローラ３３０の第一ローラギア３３３と、第一テンションローラ３６０の第一テンションローラギア３６３とが直接噛み合って連動する。第一テンションローラ３６０の第一テンションローラギア３６３とが直接噛み合うことにより、用紙２０３をすべることなく保持して用紙を送ることができる。
【００４６】
図２に示す搬送機構３２０では、第一テンションローラ３６０及び第二テンションローラ３７０は、それぞれ第一ローラ３３０と第二ローラ３４０とに、それぞれのローラギアとテンションローラギアとが噛み合い連動している。しかしながら、テンションローラは、ギアを介してローラと連動しなくてもよく、図３に示す搬送機構３２０ａのように、第一ローラギア３３３、第二ローラギア３４３、第一テンションローラギア３６３、及び第二テンションローラギア３７３は省略されてよい。この場合、第三ローラ３５０が駆動して、搬送ベルト３２４を介して第一ローラ３３０と第二ローラ３４０とが回転するが、第一テンションローラ３６０及び第二テンションローラ３７０は、搬送ベルト３２４ａ、３２４ｂを押圧した状態で搬送ベルト３２４との摩擦で回転する。
【００４７】
また、駆動モータ３２２に直接駆動される駆動ローラは、上述したように第三ローラ３５０に限らず、排出部３０４の第一ローラ３３０、又は、回収部３０６の第二ローラ３４０であってもよい。また、三つのローラのうちの二つのローラが駆動ローラとなってもよい。例えば、第三ローラ３５０と第一ローラ３３０とが駆動ローラとして減速ギアを介して駆動モータ３２２に直接駆動されてよい。また、搬送機構３２０の第一〜第三ローラの全てが駆動モータと減速ギアを介して直接駆動されてよい。図４は搬送機構の別例を示す部分図であり、図４（ａ）は駆動モータにより全てのローラが駆動されるよう構成された搬送機構３２０ｂを示す図、図４（ｂ）はさらにテンションローラにギアを追加した搬送機構３２０ｃを示す図である。
【００４８】
図２に示す搬送機構３２０は、第三ローラ３５０のみが駆動モータ３２２と連動する駆動モータであったが、図４（ａ）に示す搬送機構３２０ｂは、第三ローラ３５０に加えて第一ローラ３３０及び第二ローラ３４０が、駆動モータ３２２と減速ギアを介して連動するよう構成されている。具体的は、第一ローラ３３０の第一ローラギア３３３と駆動モータ３２２の駆動モータギア４０１とが第一減速ギア４０２を介して連動するようになっている。さらに、第二ローラ３４０の第二ローラギア３４３と、駆動モータ３２２の駆動モータギア４０１とが第二減速ギア４０３を介して連動するようになっている。第三ローラ３５０の第三ローラギア３５３と、駆動モータの駆動モータギア４０１とが第三減速ギア４０４を介して連動するようになっている。このように、第一ローラ３３０、第二ローラ３４０、及び第三ローラ３５０のそれぞれが、減速ギアを介して駆動モータ３２２と連動することで、搬送ベルト３２４の伸びや弛みが無くなり、搬送ベルト３２４によって搬送される用紙２０３のずれが少なくなり、より安定して用紙２０３を搬送することができる。
【００４９】
図４（ｂ）に示す搬送機構３２０ｃは、図４（ａ）に示す搬送機構３２０ｂに対して、さらに各テンションローラにテンションギアを設け、テンションローラとローラとが連動するようにしたものである。具体的には、第一テンションローラ３６０の第一テンションローラ軸３６１の先端に第一テンションローラギア３６３を設け、第一ローラ３３０の第一ローラギア３３３と第一テンションローラギア３６３とが噛み合って、第一ローラ３３０の回転と連動して第一テンションローラ３６０が回転する。第二テンションローラ３７０も、第一テンションローラ３６０と同様に、第二テンションローラ軸３７１の先端に第二テンションローラギア３７３を設け、第二ローラ３４０の第二ローラギア３４３と第二テンションローラギア３７３とが噛み合って、第二ローラ３４０の回転と連動して第二テンションローラ３７０が回転する。テンションローラとローラとがギアを介して連動することで、テンションローラと搬送ベルトにより用紙２０３の表面及び裏面から保持して、用紙２０３のすべりを防止しつつ排出することができる。
【００５０】
本実施形態のプレゼンタ３００では、駆動モータ３２２の周囲にローラを配置して、駆動モータの回転方向により、挿入部３０２から用紙を排出部３０４又は回収部３０６に直接搬送できる。本実施形態では、第一ローラ３３０、第二ローラ３４０及び第三ローラ３５０により、搬送ベルト３２４を直線状ではなく、実質的に三角形になるよう担持し、その搬送ベルト３２４で囲まれた範囲内に駆動モータ３２２を配置している。駆動モータ３２２や検出センサを搬送ベルト３２４が囲む範囲内に配置しているため、駆動モータ等が搬送ベルトの外側にある場合よりも小型を図ることができる。また、搬送ベルト３２４が三角形になるように担持し、排出経路３０８と回収経路３１０とがなす角度を１８０度より小さい角度とすることで、挿入部３０２に挿入された用紙２０３を、排出経路３０８又は回収経路３１０に引き込むことを容易にしている。プレゼンタ３００は用紙全体を取り込んで保持することなく直接用紙を排出・回収することができるので、用紙の経路を短くしてプレゼンタをより小型化することができる。
【００５１】
次に、プレゼンタにおけるローラの別の配置例について説明する。図５は、プレゼンタにおけるローラの別の配置を示す構成図である。図５（ａ）は、挿入部３０２（用紙投入部）が排出部３０４（第一の用紙排出部）と回収部３０６（第二の用紙排出部）とを繋ぐ搬送ベルト３２４上に設置された例を示す図である。図２に示すプレゼンタ３００の搬送機構３２０と異なり、図５（ａ）に示す搬送機構３２０ｄの第三ローラ３５０ａは挿入部３０２に配置されておらず、駆動モータ３２２を介して挿入部３０２の反対側に配置されている。搬送機構３２０ｄでは、挿入部３０２が、排出部３０４と回収部３０６とを繋ぐ直線状の搬送ベルト３２４に配置され、排出経路３０８と回収経路３１０とがほぼ直線状になることから、挿入部３０２において用紙２０３の挿入経路（用紙２０３の進行方向）は、搬送ベルト３２４に対して略垂直となり、用紙２０３は挿入部３０２において略直角に曲げられる。そのため、用紙２０３の用紙送りが円滑になるよう、挿入部３０２において駆動モータ３２２の回転方向に連動して用紙２０３の挿入経路を変更して、排出経路３０８又は回収経路３１０に進行するよう案内する挿入経路切替えガイド５０１（ガイド切替え機構の一例）を挿入部３０２に設けてよい。
【００５２】
図５（ａ）に示すプレゼンタの搬送機構３２０ｄは、例えば駆動モータ３２２を搬送ベルト３２４の内側に配置するための空間を確保するために、第三ローラ３５０ａを備えてる。しかしながら、第一ローラ３３０と第二ローラ３４０の直径が充分に大きくこの二つのローラが担持する搬送ベルト３２４の内側に駆動モータ３２２を配置することができるならば、第三ローラ３５０ａを設けなくてもよい。すなわち、排出部３０４と回収部３０６とのそれぞれに配置された二つのローラがあれば、本願発明の搬送機構３２０を実現することができる。
【００５３】
図５（ｂ）は、挿入部３０２に二つのローラ（第三ローラ５０２、第四ローラ５０３）が配置された例を示す図である。図５（ｂ）に示すように、搬送機構３２０ｅの挿入部３０２において、第三ローラ５０２と第四ローラ５０３とが近接して配置され、さらに、搬送ベルト３２４を介して第三ローラ５０２に対向する位置に第三テンションローラ５０４が、第四ローラ５０３に対向する位置に第四テンションローラ５０５が配置されている。挿入部３０２にテンションローラを設けることで、挿入部３０２においても用紙２０３を保持することができ、より確実に用紙を搬送することができる。また、図に示すように挿入部３０２において、用紙２０３の進行方向は搬送ベルト３２４に対して略垂直となることから、挿入部３０２において駆動モータ３２２に連動して用紙２０３の進行方向を切替えて、用紙の進行方向を排出口３０５又は回収口３０７に向けて案内することができる挿入経路切替えガイド５０６（ガイド切替え機構の一例）を挿入部３０２に設けてよい。このように、搬送機構の駆動モータの周辺に配置されるローラの数は、四つ又はそれ以上であってもよい。
【００５４】
次に、プレゼンタのさらなる別例について説明する。図６は、用紙引戻し機構６００（戻し機構の一例）を有するプレゼンタが組み込まれたプリンタシステム１０１の構成図である。制御部１１０は、用紙２０３を排出するとき、用紙２０３がカットされているかどうか判別するために、所定量の用紙送りを搬送機構３２０により行う場合がある。このとき、例えば用紙２０３がカットされておらず搬送機構３２０が搬送動作をすると、用紙２０３を搬送することができないため搬送ベルト３２４が摩耗する可能性がある。この対策として、図６に示すプレゼンタ３００ａのように、用紙を引き戻す用紙引戻し機構６００が設けられている。図６に示すプリンタシステム１０１は、図１のプリンタシステム１００と同様のプリンタユニット２００と、搬送機構３２０とを備えているが、搬送機構３２０を収容するプレゼンタの構成が異なっていて、プレゼンタ３００ａの挿入部３０２に、プレゼンタ３００ａ内の用紙を引き戻す用紙引戻し機構６００として、駆動モータ６０１と、搬送ローラ６０２と、搬送ローラ６０２の対向する位置にテンションローラ６０３が設けられている。搬送ローラ６０２と駆動モータ６０１とはギアを介して連動している。テンションローラ６０３と搬送ローラ６０２はギアを介して連動してよい。図１に示すプレゼンタ３００では、切断された用紙２０３が、一旦内部に入ると排出部３０４又は回収部３０６の何れか一方に排出されるが、図６のプレゼンタ３００ａのように用紙引戻し機構６００を設けることで、用紙２０３を挿入口３０３に引戻すことができる。また、用紙引戻し機構６００と搬送機構３２０とを同時に動かしながら、用紙２０３を排出口３０５に用紙送りしてよい。他の構成は、図１に示すプリンタシステム１００と同様なので、詳細な説明は省略する。
【００５５】
ＡＴＭ等で使用されるプリンタシステムにおいて、印字中の急な停電や、用紙の無理な引き出しにより、用紙がプレゼンタの中に詰まったり、用紙の一部が搬送経路に残る場合がある（以下、この状態を用紙ジャムと呼ぶ）。その場合、詰まった用紙をプレゼンタから取り除く必要があるが、プレゼンタから搬送機構を取り出し、排出経路や回収経路を開放すれば、詰まった用紙を容易に取り除くことができる。そこで、以下では、搬送機構をプレゼンタに保持する保持機構、及び保持機構による保持を解除して、容易にプレゼンタから搬送機構を取り出す方法について説明する。
【００５６】
図７は、搬送機構３２０をプレゼンタケース３０１ｂに保持する保持機構７００の構成及び搬送機構３２０の取り出し方法を示すプレゼンタ３００ｂの側面図であり、図７（ａ）は、搬送機構３２０がプレゼンタケース３０１ｂに保持され収納された状態を示す図、図７（ｂ）は、保持機構７００の保持が解除された状態を示す図、図７（ｃ）は、搬送機構３２０を回動させプレゼンタケース３０１ｂから搬送機構３２０を取り出した状態を示す図である。
【００５７】
図示実施形態のプレゼンタ３００ｂでは、搬送機構３２０（点線で示す部分）が、プレゼンタケース３０１ｂに収容されている。そして、プレゼンタケース３０１ｂの両方の側面には、図に示すように、スリット７０４と長孔７０６が形成され、プレゼンタ３００の排出部３０４の付近に、第一ローラ３３０の第一ローラ軸３３１を保持する保持機構７００が設けられている。保持機構７００は、第一ローラ軸３３１の端部を引掛けて保持する爪状の引掛部７０１を有し、保持機構７００は回転軸７０２を中心にしてプレゼンタケース３０１ｂに対して回動可能に取り付けられている。また、保持機構７００は、引掛部７０１を容易に回動させることができるようオープンレバー７０３を有している。第一ローラ軸３３１の端部がスリット７０４を通じてプレゼンタ３００ｂの両側面より突出し、保持機構７００の引掛部７０１に引掛けて保持されている。このように、保持機構７００が第一ローラ３３０を保持することで、搬送機構３２０はプレゼンタケース３０１に保持される。なお、保持機構７００は、プレゼンタ３００ｂの一方の側面にのみ設けられ、第一ローラ軸３３１の一方の端部のみを保持するように構成してもよい。
【００５８】
スリット７０４は、搬送機構３２０を取り出すプレゼンタ３００の開口部３０１ａから伸びるように形成され、図示実施形態では、スリット７０４は、その軸線が回収経路３１０に対して略平行になるよう形成されている。また長孔７０６は、回収部３０６の付近において、その軸線が回収経路３１０に対して略平行になるよう形成されている。長孔７０６には、第二ローラ３４０の第二ローラ軸３４１の端部が挿入され、第二ローラ軸３４１は、長孔７０６の軸線方向に（図の矢印Ｆ方向）に摺動可能になっている。
【００５９】
図７（ｂ）に示すように、保持機構７００のオープンレバー７０３を上方向に上げる、即ち、回転軸７０２を中心に引掛部７０１を反時計回り（図の矢印Ｅ方向）に回転させることで、第一ローラ軸３３１の保持が解除される。そして、搬送機構３２０全体がスリット７０４及び長孔７０６の軸方向（矢印Ｆ方向）に沿って摺動可能となり、使用者が搬送機構３２０を摺動させることで、第一ローラ軸３３１がスリット７０４から外すことができる。そして、長孔７０６の下方端部に第二ローラ軸３４１が到達したところで、搬送機構３２０が第二ローラ軸３４１を中心に回動可能になり、図７（ｃ）に示すように、使用者は搬送機構３２０を時計回り（図の矢印Ｇ方向）に回動させて、搬送機構３２０をプレゼンタケース３０１から取り出すことができる。搬送機構３２０を取り出すことにより、用紙の排出経路３０８及び回収経路３１０が開放され、使用者は詰まった用紙を容易に取り出すことができる。
【００６０】
保持機構の別例を図８を用いて説明する。図８は、搬送機構３２０をプレゼンタケース３０１ｃに保持する保持機構８００、及びプレゼンタケース３０１ｃから搬送機構３２０を取り出す方法を示すプレゼンタ３００ｃの側面図であり、図８（ａ）は、搬送機構３２０がプレゼンタケース３０１ｃに収容された状態を示す図、図８（ｂ）は、保持機構８００の保持が解除された状態を示す図、図８（ｃ）は、搬送機構３２０を回動させプレゼンタケース３０１ｃから搬送機構３２０を取り出した状態を示す図である。
【００６１】
図示実施形態のプレゼンタ３００ｃでは、排出部３０４の第一ローラ軸３３１が、保持機構８００により保持されている。保持機構８００は、第一ローラ軸３３１を引掛ける引掛部８０１と弾性部材８０２とを有し、引掛部８０１は弾性部材８０２を介してプレゼンタケース３０１ｃに取り付けられている。また、搬送機構３２０は、第二のケース８０４と第一ローラ軸３３１を介して一体となっていて、使用者が第二のケース８０４を引き抜くように移動させることで、搬送機構３２０も移動してプレゼンタケース３０１ｃから取り出すことができる。
【００６２】
プレゼンタケース３０１ｃの両側面には、図７のプレゼンタ３００ｂのプレゼンタケース３０１ｂと同様に長孔８０５が形成されている。そして、第二ローラ軸３４１の端部が長孔８０５に通され、搬送機構３２０と共に第二ローラ軸３４１が長孔８０５の軸方向（図の矢印Ｉ方向）に摺動可能になっている。
【００６３】
図示実施形態のプレゼンタ３００ｃでは、図８（ｂ）に示すように保持機構８００の引掛部８０１を押し上げる、即ち、図の矢印Ｈ方向に引掛部８０１を押圧して、弾性部材８０２を弾性変形させることで、第一ローラ軸３３１の保持が解除される。そして、使用者は、搬送機構３２０を長孔８０５の軸方向（図の矢印Ｉ方向）に摺動して、第二ローラ軸３４１を長孔８０５の下方端部に到達させる。
【００６４】
そして、図８（ｃ）に示すように、使用者は、搬送機構３２０を第二ローラ軸３４１を中心に時計方向（図の矢印Ｊ方向）に回動させて、搬送機構３２０をプレゼンタケース３０１ｃから取り出す。搬送機構３２０を取り出すことにより、用紙の排出経路３０８及び回収経路３１０が開放され、使用者は詰まった用紙を容易に取り出すことができる。
【００６５】
なお、図７及び図８に示すプレゼンタの保持機構は、第一ローラ３３０の第一ローラ軸３３１を保持していたが、これに限定されず、保持機構が保持するローラは第三ローラ３５０の第三ローラ軸３５１であってもよい。また、第一ローラ軸３３１を中心に搬送機構３２０を回動可能に構成して第二ローラ軸３４１を保持機構が保持するように構成してもよい。
【００６６】
次に、保持機構の構成及び搬送機構の取り出し方法の別例を図９を用いて説明する。図９は、搬送機構３２０をプレゼンタケース３０１ｄに保持する保持機構９００の構成及び搬送機構３２０の取り出し方法を示すプレゼンタ３００ｄの側面図であり、図９（ａ）は、搬送機構３２０がプレゼンタケース３０１ｄに保持された状態を示す図、図９（ｂ）は、搬送機構３２０が、プレゼンタケース３０１ｄから取り外された状態を示す図である。
【００６７】
図９に示すプレゼンタ３００ｄは、挿入部３０２に設けられた第三ローラ３５０の第三ローラ軸３５１を保持する保持機構９００を備えている。保持機構９００は、図８の保持機構８００と同様に第三ローラ軸３５１を引掛ける引掛部９０１と弾性部材９０２とを有し、引掛部９０１は弾性部材９０２を介してプレゼンタケース３０１ｄに保持されている。また、図示実施形態の搬送機構３２０は第二のケース９０５に収容され、使用者は第二のケース９０５を引き抜くことで搬送機構３２０を取り出すことができる。
【００６８】
第三ローラ軸３５１の端部は、プレゼンタケース３０１ｄの両側面より突出している。そして、引掛部９０１が第三ローラ軸３５１の端部に引掛かることで、保持機構９００は第三ローラ軸３５１を保持し、搬送機構３２０がプレゼンタケース３０１ｄに保持されるようになっている。そして、引掛部９０１が上方（図の矢印Ｋ方向）に押圧され、弾性部材９０２が弾性変形することにより引掛部９０１が上がり、第三ローラ軸３５１の保持が解除される。なお、引掛部９０１を上方に押圧する手段として、使用者が引掛部９０１を直接手であげてもよく、また、第二のケース９０５を引き抜くことにより、第三ローラ軸３５１の端部が引掛部９０１に当接して、引掛部９０１が上がるようにしてもよい。搬送機構３２０の保持が解除されることで、使用者は第二のケース９０５を搬送機構３２０と共に図の矢印Ｌの方向に引き出して取り出すことができる。
【００６９】
図９に示すプレゼンタ３００ｄでは、保持機構９００が第三ローラ３５０の第三ローラ軸３５１を保持していたが、保持機構９００に保持されるローラは、第三ローラ３５０に限らず、第一ローラ３３０又は第二ローラ３４０であってよい。また、二つ以上の保持機構９００を設け、それぞれが複数のローラの軸を保持して搬送機構３２０をプレゼンタケース３０１ｄに保持してよい。
【００７０】
保持機構の構成の別例を図１０を用いて説明する。図１０は、搬送機構３２０をプレゼンタケース３０１ｅに保持する保持機構１０００の構成及びプレゼンタケース３０１ｅから搬送機構３２０を取り出す、取り出し方法を示すプレゼンタ３００ｅの側面図であり、図１０（ａ）は、搬送機構３２０がプレゼンタケース３０１ｅに保持され収容された状態を示す図、図１０（ｂ）は、カバー１０１０を開けて保持機構１０００の保持が解除された状態を示す図、図１０（ｃ）は、搬送機構３２０を回動させプレゼンタケース３０１ｅから搬送機構３２０を取り出した状態を示す図である。
【００７１】
図１０に示すプレゼンタ３００ｅは、排出経路３０８を覆うように、ヒンジ部１０１１を中心に開閉可能なカバー１０１０を有している。また、搬送機構３２０は、第二ローラ３４０の第二ローラ軸３４１を中心にして回動可能に取り付けられ、使用者が、保持機構１０００によるカバー１０１０の保持を解除してカバー１０１０を開けることにより、カバー１０１０を開けて搬送機構３２０を回動させ、搬送機構３２０を取り出す。
【００７２】
カバー１０１０は一方の端部において、挿入部３０２に設けられたヒンジ部１０１１を中心に開閉可能に取り付けられて、他方の端部には、図に示すように排出部３０４に設けられる第一テンションローラ３６０が配置されている。第一テンションローラ３６０の第一テンションローラ軸３６１が、カバー１０１０の両側面より突出している。
【００７３】
保持機構１０００は、第一テンションローラ軸３６１を保持する引掛部１００１と、弾性部材１００２とを有し、引掛部１００１は弾性部材１００２を介してプレゼンタケース３０１ｅに取り付けられている。使用者がカバー１０１０を開ける、すなわちカバー１０１０をヒンジ部１０１１を中心にして反時計回り（図の矢印Ｎ方向）に回転させることで、第一テンションローラ軸３６１が、引掛部１００１を矢印Ｍ方向に押し下げる。それにより、弾性部材１００２が弾性変形して、第一テンションローラ軸３６１が保持機構１０００から外れ、カバー１０１０を開けることができる。カバー１０１０が開くことで、搬送機構３２０の第三ローラ３５０がカバー１０１０に当接せず、使用者は、搬送機構３２０を第二ローラ軸３４１を中心に時計回り（図の矢印Ｐ方向）に回動させて、プレゼンタケース３０１ｅから取り出すことができる。
【００７４】
保持機構の別例を図１１を用いて説明する。図１１は、搬送機構３２０をプレゼンタケース３０１ｆに保持する保持機構１１００の構成及びプレゼンタケース３０１ｆから搬送機構３２０を取り出す方法を示すプレゼンタ３００ｆの側面図であり、図１１（ａ）は、搬送機構３２０がプレゼンタケース３０１ｆに保持され収容された状態を示す図、図１１（ｂ）は、カバー１１１２を開けた状態を示す図、図１１（ｃ）は、搬送機構３２０を回動させプレゼンタケース３０１から搬送機構３２０を取り出した状態を示す図である。
【００７５】
図１１に示すプレゼンタ３００ｅは、搬送機構３２０を収容する第二のケース１１１１と、排出経路３０８を覆うカバー１１１２とを備えている。第二のケース１１１１は、搬送機構３２０を収容し、搬送機構３２０と共に、第二ローラ軸３４１を中心にして回動可能に取り付けられている。カバー１１１２は、図１０に示すプレゼンタ３００ｅのカバー１０１０とは開閉する方向が異なり、排出部３０４に設けられたヒンジ部１１１３を中心に開閉するよう取り付けられている。また、カバー１１１２は、自由端である挿入部側に、係止部１１１４が設けられている。プレゼンタ３００ｆの保持機構１１００は、挿入部３０２に設けられ、保持機構１１００は、カバー１１１２の係止部１１１４を保持するように構成されている。そして、係止部１１１４の保持を解除することで、使用者はカバー１１１２をヒンジ部１１１３を中心に、時計回り（図の矢印Ｑ方向）に回動させ、さらに、第二のケース１１１１を第二ローラ軸３４１を中心に、時計回り（図の矢印Ｐ方向）に回動させて搬送機構３２０をプレゼンタケース３０１ｆから取り出す。
【００７６】
保持機構１１００は、カバー１１１２の係止部１１１４を引掛けて保持する引掛部１１０１と、弾性部材１１０２とを有する。引掛部１１０１は弾性部材１１０２を介してプレゼンタケース３０１ｆに取り付けられている。
【００７７】
保持機構１１００では、図１１（ｂ）に示すようにカバー１１１２を、時計回り（図の矢印Ｑ方向）に開けることで、カバー１１１２の係止部１１１４が、保持機構１１００の引掛部１１０１を図の矢印Ｒ方向に押圧する。弾性部材１１０２が変形して係止部１１１４の保持が解除されることにより、第二のケース１１１１が、第二ローラ軸３４１を中心に回動可能になり、図１１（ｃ）に示すように使用者は、第二のケース１１１１を搬送機構３２０と共に、図の矢印Ｐ方向に回動させることで、搬送機構３２０をプレゼンタケース３０１ｆから取り出すことができる。
【００７８】
次に、用紙を挿入する挿入口に設けられ、用紙の挿入経路を切替える挿入経路切替えガイドについて、図１２を用いて説明する。
【００７９】
図１２は、用紙挿入ガイド（投入ガイドの一例）及び挿入経路切替え機構（ガイド切替え機構の一例）の構成を示す図であり、図１２（ａ）は、挿入経路切替え機構で使用するギアを示す図で、駆動モータ１２１０の回転により用紙挿入経路１２４０の切替わる構成を示す図であり、図１２（ｂ）は駆動モータ１２１０が時計回りに回転する場合の駆動ローラ１２２０の回転方向を示す図、図１２（ｃ）は駆動モータ１２１０が反時計回りに回転する場合の駆動ローラ１２２０の回転方向を示す図である。
【００８０】
図１２（ａ）に示すように、挿入経路切替え機構１２００は、駆動モータ１２１０（原動機）と、駆動モータ１２１０により回転する第一切替えギア１２３０と、第一切替えギア１２３０によって回転する第二切替えギア１２３２及び第三切替えギア１２３４と、第一切替えギア１２３０〜第二切替えギア１２３２のそれぞれの中心軸を連結すると共に、第一切替えギア１２３０の中心軸を中心として回動可能に設けられた第四切替えギア１２３６と、第四切替えギア１２３６と噛み合い、用紙の挿入方向Ｓを切替える第五切替えギア１２３８と、を備えている。第五切替えギア１２３８には、用紙が進行する用紙挿入ガイド１２４０（投入ガイドの一例）が設けられ、第四切替えギア１２３６が回転することで第五切替えギア１２３８が回転し、用紙挿入ガイド１２４０の傾斜角度を変更することにより用紙２０３の挿入方向Ｓが変化して用紙の挿入経路を切り替えることができる。
【００８１】
具体的には、駆動モータ１２１０が時計回り（図の矢印Ｔ１方向）に回転することで、駆動モータギア１２１１により第一切替えギア１２３０が反時計回り（図の矢印Ｕ１方向）に回転する。第一切替えギア１２３０が回転することで、第二切替えギア１２３２及び第三切替えギア１２３４自体がＵ１方向に移動して、第四切替えギア１２３６が、第一切替えギア１２３０の中心軸１２３１を中心に、反時計回り（図の矢印Ｕ１方向）に回転する。第四切替えギア１２３６が反時計回りに回転することで、第五切替えギア１２３８が時計回り（図の矢印Ｖ１方向）に回転し、用紙挿入ガイド１２４０の先端部分１２４２が下方（図の矢印Ｗ１方向）に移動し、用紙２０３の挿入方向Ｓを変更する。また、駆動モータ１２１０が反時計回り（図の矢印Ｔ２方向）に回転することで、第一切替えギア１２３０が時計方向（図の矢印Ｕ２方向）に回り、第二切替えギア１２３２及び第三切替えギア１２３４自体がＵ２方向に移動する。それにより、第四切替えギア１２３６が時計回り（図の矢印Ｕ２方向）に回転し、第五切替えギアが反時計回り（図の矢印Ｖ２方向）に回転する。それにより、用紙挿入ガイド１２４０の先端部分１２４２が上方向（図の矢印Ｗ２方向）に移動して、用紙２０３の挿入方向Ｓを変更する。
【００８２】
なお、図１２（ｂ）及び図１２（ｃ）に示すように、第二切替えギア１２３２及び第三切替えギア１２３４は、駆動ローラ１２２０に当接して、第二切替えギア１２３２及び第三切替えギア１２３４自体の回転移動が係止されるので、第四切替えギア１２３６の回転は止まるようになっていて、それに合わせて、第五切替えギア１２３８の回転も止まり、用紙挿入ガイド１２４０の上下移動が規制されるようになっている。
【００８３】
図１２（ｂ）及び図１２（ｃ）により、駆動モータ１２１０と駆動ローラ１２２０との関係について説明する。第二切替えギア１２３２と第三切替えギア１２３４とは、第一切替えギア１２３０の円周上を回転可能に取り付けられた遊星ギアであり、図１２（ａ）から分かるように、第二切替えギア１２３２と第三切替えギア１２３４との位置関係は、第四切替えギア１２３６によって固定されている。
【００８４】
図１２（ｂ）に示すように、駆動モータ１２１０が時計回り（図の矢印Ｔ１方向）に回転することで駆動モータギア１２１１が回転し、それにより、第一切替えギア１２３０が反時計回り（図の矢印Ｕ１方向）に回転する。第四切替えギア１２３６も中心軸１２３１を中心に反時計回り（図の矢印Ｕ１方向）に回転し、第四切替えギア１２３６によって連結されている第二切替えギア１２３２及び第三切替えギア１２３４自体が、反時計回り（図の矢印Ｕ１方向）に移動する。図１２（ｂ）の場合、第二切替えギア１２３２が移動することで、駆動ローラ１２２０の駆動ローラギア１２２１に当接する。第二切替えギア１２３２は、第一切替えギア１２３０により時計回り（図の矢印Ｘ１方向）に回転しているので、第二切替えギア１２３２と噛み合うことで、駆動ローラギア１２２１が反時計回り（図の矢印Ｙ１方向に回転する。
【００８５】
駆動モータ１２１０が反転し、図１２（ｃ）に示すように反時計回り（図の矢印Ｔ２方向）に回転すると、駆動モータギア１２１１が反時計回りに回転して第一切替えギア１２３０が時計回り（図の矢印Ｕ２方向）に回転する。第一切替えギア１２３０の回転に合わせて、第四切替えギア１２３６が時計回り（図の矢印Ｕ２方向）に回転し、第四切替えギア１２３６によって連結されている第二切替えギア１２３２及び第三切替えギア１２３４が時計回り（図の矢印Ｕ２方向）に移動する。図１２（ｃ）の場合、第三切替えギア１２３４自体が移動して、駆動ローラ１２２０の駆動ローラギア１２２１に当接して噛み合うようになる。第一切替えギア１２３０により第三切替えギア１２３４は反時計回り（図の矢印Ｘ２方向）に回転するので、駆動ローラギア１２２１が時計回り（図の矢印Ｙ２方向）に回転する。挿入経路切替え機構１２００をこのような構成として、駆動モータ１２１０の回転方向を制御することで、駆動ローラ１２２０を回転させると共に、用紙挿入ガイド１２４０の挿入方向Ｓを変更することが可能になる。
【００８６】
次に、図１に示すプリンタシステム１００が、プリンタユニット２００及びプレゼンタ３００を用いて用紙２０３を排出・回収する手順について図１３を用いて説明する。図１３は、プリンタシステム１００の排出・回収動作を示すフローチャートである。
【００８７】
プリンタユニット２００は、制御部１１０の指示により用紙２０３に印字を開始する（Ｓ００１）。プリンタユニット２００により印字された用紙２０３は、プリンタユニット２００の用紙排出口２０９から排出され、用紙排出口２０９と連通するプレゼンタ３００の挿入口３０３に挿入される。そして、用紙２０３は、挿入部３０２の第三ローラ３５０に向かってプレゼンタ３００内に進行する。用紙２０３を排出口３０５に排出する場合は、駆動モータ３２２により搬送機構３２０を排出方向（図２の矢印Ｃ１方向）に回転させ用紙送りを行う。制御部１１０は、所定量（例えば、挿入口から第一検出センサまでの距離よりも大きい量）の用紙送りをしたか否かを駆動モータ３２２やプリンタユニット２００の用紙搬送モータ２０４等からの情報を基に判断する（Ｓ００３）。ステップＳ００３で制御部１１０が所定量の用紙送りをしていないと判断した場合（Ｎｏの場合）、第一検出センサ３２５が用紙２０３の有無を確認し（Ｓ００４）、ステップＳ００４において、第一検出センサ３２５が用紙を検出しなかった場合（Ｎｏの場合）、ステップＳ００２に戻り、再度排出方向に用紙送りする。ステップＳ００４で第一検出センサが用紙２０３があると判断した場合（Ｙｅｓの場合）、正常に用紙２０３が搬送されたと判断し、さらに排出方向に用紙送りする（Ｓ００５）。ステップＳ００４で第一検出センサ３２５が用紙無しと判断して、ステップＳ００３で所定量の用紙送りをしたと判断した場合（Ｙｅｓの場合）、所定量の用紙送りをしているにもかかわらず、用紙が検出されないので用紙ジャムが発生していると制御部１１０は判断して、プリンタシステム１００の動作を終了する。
【００８８】
ステップＳ００５では、第一検出センサ３２５から用紙保持位置である第一ローラ３３０に用紙が搬送されるまで、所定量（例えば第一検出センサ３２５から第一ローラ３３０までの距離）の用紙送りをする。制御部１１０は、所定量の用紙送りをしたかを判断（Ｓ００６）し、所定量の用紙送りをした場合（Ｙｅｓの場合）、駆動モータ３２２を止め、一旦用紙送りを停止する（Ｓ００７）。
【００８９】
この時、用紙２０３の先端は、第一ローラ３３０に保持された状態である。そして、プリンタユニット２００が印字を続けている場合、印字された用紙２０３はプリンタユニット２００とプレゼンタ３００との間の空間２２１に撓むように溜まっている。
【００９０】
用紙２０３が第一ローラ３３０に保持された状態で、プリンタユニット２００による印字が完了する。そして、制御部１１０は用紙２０３をカットするタイミングか否かを判断する（Ｓ００８）。例えば、制御部１１０は、正常に印字が完了したことを示す印字完了信号をプリンタユニット２００から受け、その後所定時間が経過したか否かを判断する。用紙２０３をカットするタイミングで有る場合（Ｙｅｓの場合）、制御部１１０は用紙２０３をカットする指示をプリンタユニット２００に送り、切断部２１０が用紙を切断する。そして、制御部１１０は、さらに用紙２０３を排出するタイミングであるどうか判断する（Ｓ００９）。ステップＳ００９で制御部１１０が用紙２０３を排出するタイミングであると判断した場合（Ｙｅｓの場合）、制御部１１０はプレゼンタ３００に用紙２０３の排出指示を行い、プレゼンタ３００が第一ローラ３３０に保持されている用紙２０３を排出方向へ搬送する（Ｓ０１０）。
【００９１】
制御部１１０は、ステップＳ０１１で所定量の用紙送りをしたか否かを判断し、所定量の用紙送りをしていない場合（Ｎｏの場合）、第一検出センサ３２５により用紙２０３の有無を検出する（Ｓ０１２）。ステップＳ０１２で第一検出センサ３２５が用紙２０３を検出した場合（Ｙｅｓの場合）、ステップＳ０１０に戻り、さらに排出方向に用紙送りを行う。ステップＳ０１１で、制御部１１０が所定量（例えば、カットされた用紙２０３の長さ）の用紙送りをしたと判断（Ｙｅｓの場合）した場合、所定量の用紙送りをしているにもかかわらず第一検出センサ３２５が用紙２０３を検出しているので、用紙ジャム（Ｓ０５０）が発生していると判断し、動作を終了（Ｓ１５０）する。
【００９２】
ステップＳ０１２で第一検出センサ３２５が用紙２０３を検出しない場合（Ｎｏの場合）、制御部１１０は逆の方向に用紙送り、すなわち回収方向に用紙２０３を搬送するように搬送機構３２０を駆動させる（Ｓ０１３）。そして、用紙２０３を所定量の用紙送りをしたかどうかを判断する（Ｓ０１４）。所定量の用紙送りをしていない場合（Ｎｏの場合）、第一検出センサ３２５により用紙２０３の有無を確認する（Ｓ０１５）。第一検出センサ３２５が用紙を検出すると、用紙２０３の搬送を停止する（Ｓ０１６）。この時、プレゼンタ３００から排出された用紙２０３は、第一検出センサ３２５に被るように、第一ローラ３３０ａと第一テンションローラ３６０ａとの接点、及び、第一ローラ３３０ｂと第一テンションローラ３６０ｂとの接点の２点で、搬送ベルト３２４ａ、ｂにより保持されている（図２参照）。ステップＳ０１５で第一検出センサ３２５が用紙を検出しない場合は、ステップＳ０１３に戻り、回収方向に用紙送りする。ステップＳ０１４で所定量の用紙送りをしている場合は、用紙ジャム（Ｓ０５０）と判断し、動作を終了する。
【００９３】
ステップＳ０１６の後、第一検出センサ３２５は用紙の有無を所定間隔で検出し続け、（Ｓ０１７）。そして、第一検出センサ３２５が用紙２０３を検出しない、すなわち第一検出センサ３２５に用紙が無いことが検出された場合（Ｓ０１７でＹｅｓの場合）、駆動モータ３２２が、排出方向とは反対方向、すなわち回収方向に搬送ベルト３２４を動かす（Ｓ１０１）。このとき、第一検出センサ３２５が用紙の有無を判断する（Ｓ１０２）。ステップＳ１０２で用紙２０３が検出された場合（Ｙｅｓの場合）は、利用客により用紙２０３が正常に引き抜かれなかったと判断してステップＳ１０４に進む。用紙２０３が検出されない場合（Ｎｏの場合）は、所定量の用紙送りをしたか否かを判断する（Ｓ１０３）。用紙２０３が検出されず（Ｓ１０２でＮｏの場合）かつ、所定量の用紙送りをした場合（Ｓ１０３でＹｅｓの場合）は、制御部１１０は、排出口３０５に用紙２０３が無いことを確認したと判断し、動作を終了する。
【００９４】
ステップＳ１０２で、第一検出センサ３２５が用紙２０３を検出した場合（Ｙｅｓの場合）、利用客が用紙を引き抜いていないため、制御部１１０は、ステップＳ１０４で用紙２０３を回収するタイミングか否かを判断する。例えば、制御部１１０は、ステップＳ１０２で第一検出センサ３２５が用紙２０３を検出してから所定時間（例えば１分程度）経過しているか判断する。ステップＳ１０４で制御部１１０が回収するタイミングではないと判断した場合（Ｎｏの場合）は、ステップＳ０１７に戻り、用紙２０３の有無を確認する。回収するタイミングであると判断した場合（Ｙｅｓの場合）、制御部１１０は用紙２０３を排出するか、回収するかを判断する（Ｓ１０５）。ステップＳ１０５で制御部１１０が用紙を排出すると判断した場合（Ｙｅｓの場合）、制御部１１０は排出方向に用紙送りするよう搬送機構３２０を駆動する（Ｓ１０６）。そして制御部１１０は所定量の用紙送りをしたかを判断する（Ｓ１０７）。所定量の用紙送りをしていない場合（Ｎｏの場合）、第一検出センサ３２５により用紙２０３の有無を確認する（Ｓ１０８）。第一検出センサ３２５が用紙２０３を検出した場合（Ｙｅｓの場合）、ステップＳ１０６に戻り、制御部１１０は排出方向に用紙送りする。ステップＳ１０７で制御部１１０が所定量の用紙送りをしたと判断した場合は、用紙ジャム（Ｓ０５０）が発生したと判断して、プレゼンタ３００はその動作を停止する（Ｓ１５０）。ステップＳ１０８で用紙２０３を検出しない場合（Ｎｏの場合）は、正常に排出されていると判断し、さらに用紙２０３を排出方向に用紙送りする（Ｓ１０９）。制御部１１０は排出方向に用紙２０３を所定量の用紙送りをしたか否かを判断し（Ｓ１１０）、ステップＳ１１０で制御部１１０が所定量の用紙送りをしたと判断した場合（Ｙｅｓの場合）は、プレゼンタ３００は動作を終了する。ステップＳ１１０で、所定量の用紙送りをしていないと判断した場合（Ｎｏの場合）は、さらに排出方向に用紙送りする。
【００９５】
用紙２０３を回収する場合の動作について説明する。ステップＳ１０５で、制御部１１０が用紙２０３を排出しない、即ち回収すると判断した場合（Ｎｏの場合）、搬送機構３２０は回収方向に用紙送りする（Ｓ２０１）。そして、所定量の用紙送りしたか否かを判定する（Ｓ２０２）。所定量の用紙送りしていない場合（Ｎｏの場合）、回収経路３１０上の第二検出センサ３２６により用紙２０３の有無を確認する（Ｓ２０３）。ステップＳ２０３で第二検出センサ３２６が用紙２０３を検出した場合（Ｙｅｓの場合）、さらに回収方向に用紙送りする（Ｓ２０４）。ステップＳ２０３で用紙２０３が検出されない場合（Ｎｏの場合）、ステップＳ２０１に戻り、回収方向に用紙送りする。ステップＳ２０２で所定量の用紙送りをしている場合（Ｙｅｓの場合）、所定量の用紙送りをしているにもかかわらず、第二検出センサ３２６により用紙２０３が検出されていないので、用紙ジャム（Ｓ０５０）が発生していると判断し、動作を終了する。
【００９６】
ステップＳ２０４では、さらに回収方向に用紙送りする。そして、回収方向に用紙２０３を所定量の用紙送りをしたか否かを判断する（Ｓ２０５）。ステップＳ２０５で所定量の用紙送りをしていないと判断した場合（Ｎｏの場合）、ステップＳ２０６で第二検出センサ３２６が用紙の有無を確認し、用紙が無い場合（Ｎｏの場合）は、ステップＳ２０４に戻り回収方向に用紙送りを行う。ステップＳ２０６で用紙２０３を検出した場合、正常に用紙２０３が回収されていると判断し、回収方向に用紙送りを行う（Ｓ２０７）。ステップＳ２０８で所定量の用紙送りをしたか否かを判断し、所定量の用紙送りをした場合（Ｙｅｓの場合）、正常に用紙２０３を回収できたと判断し、プレゼンタ３００を動作を終了する。なお、ステップＳ２０５で所定量の用紙送りをしている場合（Ｙｅｓの場合）、所定量の用紙送りをしているにも関わらず検出センサがステップＳ２０６にて用紙無しと判断しているので、用紙ジャム（Ｓ０５０）が発生していると判断する。
【００９７】
なお、プリンタユニット２００は、用紙２０３をカットした後、排出した用紙２０３が利用客により引き抜かれるか、又はプレゼンタ３００により回収されるまで次の用紙に印字をすることはない。また、排出した用紙２０３が引き抜かれない場合、上述したように、回収するのではなく、排出方向へ用紙２０３を搬送して排出口３０５から吐き出してもよい。
【００９８】
次に、電源投入時におけるプリンタシステムの動作について説明する。図１４は電源投入時におけるプリンタシステム１００の動作を示すフローチャートである。
【００９９】
電源の再投入は、例えば停電等による突然の電源遮断が発生した場合の後で行われる。そのため、電源が遮断される直前にどのような状況であったか不明である場合が多い。そのため、プレゼンタに設けられた検出センサにより、用紙の有無などを確認した後、プリンタシステムが適切な動作を行うようプログラムされている。
【０１００】
電源投入時（Ｓ３０１）など直前の印字状況が不明な場合、まず最初に、回収経路３１０の第二検出センサ３２６が回収経路３１０の用紙２０３の有無を確認する（Ｓ３０２）。ステップＳ３０２で第二検出センサ３２６が用紙２０３を検出した場合（Ｙｅｓの場合）、制御部１１０は、プレゼンタ３００が用紙２０３を回収中であったと判断して、図１３の（３：Ｓ２０４以降）の回収動作を実施してプレゼンタ３００内の用紙２０３を回収する。
【０１０１】
ステップＳ３０２で第二検出センサ３２６が用紙２０３を検出しなかった場合（Ｎｏの場合）、排出経路３０８の第一検出センサ３２５が用紙２０３の有無を確認する（Ｓ３０３）。そして、第一検出センサ３２５が、用紙２０３を検出した場合（Ｙｅｓの場合）、プレゼンタ３００は用紙２０３の排出中であったと判断し、第一検出センサ３２５が用紙２０３を検出しなくなるまで、搬送機構３２０により排出経路３０８上の用紙を排出方向に搬送する（Ｓ４０１）。
【０１０２】
そして、ステップＳ４０２において、制御部１１０は所定量の用紙送りをしたか否かを判断し、所定量の用紙送りをしていない場合（Ｎｏの場合）、第一検出センサ３２５が用紙の有無を確認する（Ｓ４０３）。ステップＳ４０３で第一検出センサ３２５が用紙を検出しなかった場合（Ｎｏの場合）、ステップＳ４０１に戻り、制御部１１０は、搬送機構３２０に用紙２０３を排出方向に用紙送りするよう指示し、搬送機構３２０は用紙２０３を搬送する。制御部１１０はステップＳ４０２で、搬送機構３２０が所定量の用紙送りをしたと判断した場合、用紙カット（Ｓ４０４）を実施し、プリンタシステム１００は図１３の（４：Ｓ０１０以降）の処理を行う。ステップＳ４０３で第一検出センサ３２５が用紙を検出した場合（Ｙｅｓの場合）、プリンタシステム１００は図１３の（２：Ｓ０１３以降）の処理を行う。
【０１０３】
第一検出センサ３２５及び第二検出センサ３２６が共に用紙２０３を検出しなかった場合、すなわちステップＳ３０３において第一検出センサ３２５が用紙２０３を検出しなかった場合（Ｎｏの場合）、プリンタシステム１００の制御部１１０は、プレゼンタ３００の挿入口３０３に至るまでに用紙が残っていないか確認する。まず、プリンタユニット２００が用紙送りを行う（Ｓ３０４）。そして、プレゼンタ３００は送られた用紙２０３を回収方向に用紙送りを行う（Ｓ３０５）。制御部１１０は、用紙搬送モータ２０４や駆動モータ３２２の回転数等から所定量の用紙送りを行ったか確認する（Ｓ３０６）。ステップＳ３０６で所定量の用紙送りしていない場合（Ｎｏの場合）、第二検出センサ３２６により用紙２０３の有無を確認する（Ｓ３０７）。ステップＳ３０７において第二検出センサ３２６が用紙２０３を検出しない場合（Ｎｏの場合）、ステップＳ３０４に戻り、再度プリンタユニット２００及びプレゼンタ３００が用紙送りを行う。ステップＳ３０６で所定量の用紙送りをしている場合（Ｙｅｓの場合）は、所定量の用紙送りをしているにもかかわらず、第二検出センサ３２６が用紙２０３を検出していないので、制御部１１０は用紙ジャムが発生していると判断して図１３の（５：Ｓ０５０）に進む。
【０１０４】
ステップＳ３０７において第二検出センサ３２６が用紙２０３を検出した場合（Ｙｅｓの場合）、第二検出センサ３２６が用紙２０３を検出するまでの用紙送り量Ｄ２と、可動刃２１２による用紙カット位置から第二検出センサ３２６での距離Ｄ１とを比較して、用紙送り量Ｄ２が距離Ｄ１より小さいか否かを判断する（Ｓ３０８）。ステップＳ３０８で用紙送り量Ｄ２が距離Ｄ１より小さい場合（Ｙｅｓの場合）、前回印字した用紙２０３があると判断し、用紙２０３のカットを行う（Ｓ３０９）。そして、用紙２０３をカットした後、図１３の（３：Ｓ１０７以降）の処理を実施して、カットされた用紙２０３を回収する。
【０１０５】
ステップＳ３０８において、用紙送り量Ｄ２と距離Ｄ１とが同等であると判定した場合（Ｎｏの場合）、前回（電源投入前）は印字していないと制御部１１０が判断して、プリンタユニット２００は用紙２０３を逆送りしてカット位置まで戻す（Ｓ３１０）。そして、排出方向に用紙２０３を用紙送りし（Ｓ３１１）、ステップＳ３１２で、制御部１１０はプリンタユニット２００及びプレゼンタ３００が所定量の用紙送りをしたか否か判断する（Ｓ３１２）。所定量の用紙送りをした場合（Ｙｅｓの場合）、第一検出センサ３２５が用紙２０３の有無を検出する（Ｓ３１３）。ステップＳ３１３で第一検出センサ３２５が用紙２０３を検出しない場合（Ｎｏの場合）、用紙ジャムが発生していると判断して、図１３の（５：Ｓ０５０以降）に進み、プレゼンタ３００は動作を停止する。第一検出センサ３２５が用紙２０３を検出した場合（Ｙｅｓの場合）、正常に用紙２０３がセットされたと判断して、プレゼンタ３００は動作を終了する。
【０１０６】
図１４に示すフローチャートのように制御した場合、用紙がカットされているかどうかの判別のために所定量の用紙送りを行う。しかしながら、用紙がカットされていない場合、搬送機構３２０が搬送動作（用紙送り）をしているにもかかわらず、用紙２０３が搬送されないため、搬送ベルト３２４が摩耗する可能性がある。そのため、この問題の対策として、図６に示すプレゼンタ３００ａのように、挿入部３０２に搬送ローラ６０２をさらに備える用紙引戻し機構６００を備えてよい。
【０１０７】
用紙引戻し機構６００の動作について、図６を用いて説明する。ロール紙２０２の用紙は、プラテンローラ２０８によりプリンタユニット２００の内部に引き込まれながらサーマルヘッド２０７により印字される。プリンタユニット２００により印字された用紙２０３は、カッタの可動刃２１２と固定刃２１６との間を通過し、用紙ガイド６０５によりプレゼンタ３００内に案内される。
【０１０８】
プリンタユニット２００の用紙送りに合わせて、プレゼンタ３００ａの用紙引戻し機構６００の駆動モータ６０１により搬送ローラ６０２を回転させ、搬送ローラ６０２とテンションローラ６０３とにより、プリンタユニット２００により印字された用紙２０３をプレゼンタ３００ａ内に引き込む。このとき、搬送機構３２０の駆動モータ３２２は駆動していない。
【０１０９】
プレゼンタ３００ａの内部に用紙２０３が引き込まれ、第三検出センサ３２７が用紙２０３を検出すると、駆動モータ６０１は停止し、用紙２０３を搬送ローラ６０２とテンションローラ６０３により保持する。このとき、プリンタユニット２００は、印字を続けているが、印字された用紙２０３は、プリンタユニット２００と用紙ガイド６０５との間に撓むようにして溜められる。
【０１１０】
プリンタユニット２００により印字が完了すると、プリンタユニット２００のカッタ駆動モータ２１４により可動刃２１２を前進（図の下方向）させ用紙２０３のカットを行う。
【０１１１】
用紙２０３がカットされたのち、用紙引戻し機構６００の駆動モータ６０１と、搬送機構３２０の駆動モータ３２２とを同時に動かしながら、用紙２０３を排出口３０５に搬送する。以降の動作は、図１に示したプレゼンタ３００と同様である。
【０１１２】
図６に示すプレゼンタ３００ａにおいて、電源投入時等の印字状況が不明な場合、各検出センサ（第一検出センサ３２５、第二検出センサ３２６、第三検出センサ３２７）を用いて以下のように制御する。
【０１１３】
全ての検出センサにおいて、用紙２０３が検出されなかった場合、搬送機構３２０を回収方向に回転させプレゼンタ３００内に用紙２０３が残っていないか確認する。
【０１１４】
第三検出センサ３２７のみが用紙２０３を検出した場合、制御部１１０は、プリンタユニットが印字中（カットされていない可能性有り）であったと判断し、第三検出センサ３２７が用紙２０３を検出しなくなるまで、搬送ローラ６０２を逆回転させて用紙２０３をプレゼンタ３００ａの内部から引き戻す。その後、再度排出処理か、直接回収処理を行う。
【０１１５】
排出経路３０８の第一検出センサ３２５が用紙２０３を検出し、回収経路３１０の第二検出センサ３２６が用紙を検出しなかった場合、制御部１１０は用紙の排出中であったと判断して、再度排出処理を行う。第一検出センサ３２５が用紙を検出せず、第二検出センサ３２６が用紙２０３を検出した場合、制御部１１０は、プレゼンタ３００が用紙２０３の回収中であったと判断して回収処理を行う。全てのセンサが用紙２０３を検出した場合は、通常あり得ない状況のため異常と判断して処理を中止する。
【０１１６】
以上、本発明の実施形態について図を用いて説明した。本発明によるプレゼンタは、用紙を排出する排出部（第一の用紙排出部）を有する排出経路（第一経路）と、排出部とはことなる回収部（第二の用紙排出部）を有する回収経路（第二経路）と、排出経路と回収経路との双方に共通する挿入部（用紙投入部）と、排出経路と回収経路とのそれぞれに沿って用紙を搬送する搬送機構とを備え、搬送機構は、挿入部と排出部と回収部との間に敷設されて排出経路と回収経路とを形成する搬送ベルトと、搬送ベルトを、回収部から挿入部を経由して排出部に向かう第一方向と、排出部から挿入部を経由して回収部に向かう第二方向とに切替えて駆動する駆動装置とを備え、搬送ベルトは、第一方向へ駆動されるときに、挿入部に挿入された用紙を挿入部から排出経路に引き込んで排出部へ搬送し、第二方向へ駆動されるときに、挿入部に投入された用紙を挿入部から回収経路に引き込んで回収部へ搬送する。搬送ベルトの駆動方向により、挿入部において用紙を仕分けして排出口又は回収口に搬送しているので、用紙の回収経路又は排出経路を短くすることができ、プレゼンタをより小型化することが可能になる。また、従来はローラのみで用紙を保持していたが、搬送ベルトを用いることにより、用紙により摩耗する箇所をローラの円周からベルト長まで分散させることができる。用紙を排出口とは異なる回収口に直接送る経路を有することで、例えば個人情報が途中まで印刷された不要な用紙を一切排出することなく回収することができる。
【符号の説明】
【０１１７】
１００、１０１    プリンタシステム
１１０    制御部
２００    プリンタユニット
３００    プレゼンタ
３０１    プレゼンタケース
３０２    挿入部（用紙投入部）
３０３    挿入口
３０４    排出部（第一の用紙排出部）
３０５    排出口
３０６    回収部（第二の用紙排出部）
３０７    回収口
３０８    排出経路（第一経路）
３１０    回収経路（第二経路）
３２０    搬送機構
３２１    駆動装置
３２２    駆動モータ（原動機）
３２４    搬送ベルト
３２５    第一検出センサ（第一検出部）
３２６    第二検出センサ（第二検出部）
３２７    第三検出センサ
３３０    第一ローラ
３４０    第二ローラ
３５０    第三ローラ
【図１】
2014012565.tif 000003
【図２】
2014012565.tif 000004
【図３】
2014012565.tif 000005
【図４】
2014012565.tif 000006
【図５】
2014012565.tif 000007
【図６】
2014012565.tif 000008
【図７】
2014012565.tif 000009
【図８】
2014012565.tif 000010
【図９】
2014012565.tif 000011
【図１０】
2014012565.tif 000012
【図１１】
2014012565.tif 000013
【図１２】
2014012565.tif 000014
【図１３】
2014012565.tif 000015
【図１４】
2014012565.tif 000016